(57)【要約】【課題】  本来静的なものである絵画や写真を含み、素朴な構造で安価に表示体にゆっくりとしたスピードで変化のある不思議な動きを与える表示体の揺動方法及び表示体の揺動装置を提供することを目的とする。【解決手段】  ゆっくりとしたスピードで表示体が止まっているかと思えば突然揺れ動きだし、間欠的に動と静を繰りかえす、変化のある不思議な動きを備えた表示体の揺動方法を可能にする為それぞれの表示体にあわせ振り子の重心位置をその振り子の支点近くに特定すること及び複数の表示体を連動させ、例えば明るいときのみ動き出し腰関節を動かして踊るような不思議な絵画や写真を作ることもできる表示体の揺動方法及び表示体の揺動装置である。【選択図】図１
2010000770.tif 000002
【特許請求の範囲】
【請求項１】
以下の揺動方法を併せ持つことを特徴とした表示体の揺動方法。
１、駆動電源、永久磁石の付いた振り子、駆動コイル、弛張発信回路等によって構成され  た揺動装置を使い、揺動装置に付いた振り子と表示体によって一体化された振り子の重  心位置をその振り子の支点近くに特定することで、表示体が止まっているかと思えば突  然揺れ動きだし、間欠的に動と静を繰りかえす、または表示体の揺れ幅が止まりそうな  小さな揺れ幅と少し大きな揺れ幅に間欠的に繰り返し変化する表示体の揺動方法。
２、駆動電源と、永久磁石の付いた振り子、駆動コイル、弛張発信回路等によって構成さ  れた揺動装置に於いてリンク機構または磁石の反発を介し複数の表示体を同時に連動し  揺動させる表示体の揺動方法。
【請求項２】
以下の要件を備えることを特徴とする請求項１記載の表示体の揺動方法を持つ表示体の揺動装置。
（イ）駆動電源、永久磁石の付いた振り子、駆動コイル、弛張発信回路等によって構成さ  れた揺動装置に於いてリンク機構または磁石の反発を介して連動することで複数の表示  体を揺動させることができるようにした揺動装置を使用
（ロ）表示体
（ハ）重心位置を振り子の支点近くに特定するための重り
【請求項３】
請求項２の要件に加え以下の要件を備えることを特徴とする請求項２記載の表示体の揺動装置。
（ニ）光、音、振動、熱等の自動的に反応するセンサー付スイッチ、或いは請求項２（イ）の揺動装置の駆動電源として太陽電池を備え、自動的に反応する光センサー付スイッチとして兼ねる。
【請求項４】
請求項２及び請求項３の要件に加え以下の要件を備えることを特徴とする請求項２及び請求項３記載の表示体の揺動装置。
（ホ）背景画面
（ヘ）揺動角度設定用ストッパー
【請求項５】
請求項２の（ハ）重心位置を振り子の支点近くに特定するための重りとして、請求項２の（ロ）表示体が間欠的な動きとゆっくりとした周期を実現しやすくなるように重りを任意の位置に固定できるようにし、これらの数や重さの種類を変え、振り子の支点より上部の任意の位置に重りを取り付けるようにすること、若しくは表示体の一部に重りを取り付けるようにしその位置、重さを調整することで間欠的な動きとゆっくりとした周期を実現しやすくなるようにすることを特徴とする請求項２、請求項３及び請求項４記載の表示体の揺動装置。
【請求項６】
請求項４の（ヘ）振り子の揺動角度設定用ストッパーとして、発砲ポリエチレンやゴム等クッション性と吸音性を有した素材を使用し、弓状に曲がり且つ戻る形状とし弾性力を持たせる、または振り子に付いた永久磁石の磁石極性に反応するよう別の磁石をバランスの取れる位置に固定することで振り子の揺動角度設定用ストッパーとしたことを特徴とする、請求項４及び請求項５記載の表示体の揺動装置。
【発明の詳細な説明】
【技術分野】
【０００１】    本発明は表示体の揺れが間欠的に変化する表示体の揺動方法及び表示体の揺動装置に関するものである。
【背景技術】
【０００２】表示体の揺動装置また太陽電池を使用した揺動機構等の関連技術に下記物件がある。【０００３】主に揺動装置の機構に関する関連技術は下記物件であり出願日順に記す。
【特許文献１】登録実用新案第３００８６９９号  （揺動運動駆動装置）
【特許文献２】特許登録３９９０２０９  （揺動玩具）
【特許文献３】特開２００７−１９９３０８  （表示体の揺動装置）
【０００４】その他の関連技術としての、表示装置に下記物件がある。
【特許文献４】実開平０７−２９５８８  （ポスター等表示装置）
【特許文献５】登録実用新案第３１４００４４号  （中吊り広告装置）
【０００５】  （（特許文献１）の（（０００２）（従来の技術））として、揺動運動駆動装置の基本的な動きのメカニズムの記載があるので以下に参考として記す。
（（特許文献１）の（（０００２）（従来の技術））によれば、（従来、振り子の一端に付いた永久磁石に若干の隙間で対向する固定電磁石に対し、振り子揺動の１往復について２回の割で、前記永久磁石と固定電磁石の向き合う瞬間に、電気接点通電、または前期永久磁石の位置と動きの方向の検出手段によって導入される半導体による無接点通電により、前記振り子の永久磁石と、通電により励磁された固定電磁石とに働く電磁力でその振り子揺動の半往復ごとにその動きを付勢する電磁誘導装置があった。）と記されている。
また、（特許文献１）の揺動運動駆動装置は後に記す（特許文献３）と同様に、（特許文献１）の（要約）に記載されているように、複数の部所を揺動運動させることができることを特徴のひとつとしている揺動駆動装置である。（特許文献３）の揺動装置がリンク機構を介して連動する機構であるのに対して、磁石の反発力を利用した機構となっている。【０００６】  （特許文献２）の揺動玩具は玩具として多く市販されているものであり、揺動する振り子の上部が立体的形状をした人形の頭部として作られている。（（特許文献２）の図１参照）【０００７】  （特許文献３）の表示体の揺動装置を元に開発された品物は、店舗ディスプレイに使われる揺動装置ユニットとして安価にて商品の案内などに使用されるＰＯＰ広告用の表示体として市販されている。
（特許文献３）の表示体の揺動装置は太陽電池を使用し永久磁石、駆動コイル、弛張発信回路、振り子等によって構成され、その発明の効果（００１２）（００１３）（００１４））に記載されているように単一の揺動機構である永久磁石のついた振り子に、リンク機構を介して連動した複数の表示体を揺動させることが特徴のひとつとなっている。
つまり振り子の上部に第１表示体を取り付けられるのみならず、その振り子の回動する支持軸の延長部に第３表示体を取り付けられる事及び、リンク機構を介して連動する下部にある表示体用支持軸の先にある表示体取り付け部に第２表示体を取り付けられ、しかも各表示体を取り付け取り外しが出来るようになっている。
またユニット自体を反転して吊り下げるようなことができる。
また本発明の重りに関する項目と特に関係がある（特許文献３）の請求項６と明細書（発明の効果）の一部について参考に記載する。
（（請求項６）として前記振子体の他端に前記第１表示体との重量バランスを調整する重りが着脱可能に設けられていることを特徴とする請求項１記載の表示体の揺動装置。）
（（明細書）（発明の効果）（００１４）には、また、本発明の表示体揺動装置によれば、第１表示体との重量バランスを調整する重りを振子体に着脱可能に設けたので、同一種の揺動装置で大きさや重さの異なる複数種類の表示体を適正に揺動運動させることができる。）と記されている。【０００８】  （特許文献４）のポスター等表示装置は、請求項１として（電池時計の振り子装置を駆動源として動く表示部を持つことを特徴とするポスター等表示装置。）と記されている。【０００９】  （特許文献５）の中吊り広告装置は電磁石揺動体を使用する請求項目に於いて本発明との関連が在る為、関連技術として取り上げるものであり、関連のある請求項は（請求項１、請求項３、請求項７）である。
請求項１としては、（文面や図柄や写真などが記された、紙や合成樹脂からなる実質的なシート状態に、モーター回転体や電磁石揺動体や音声発生装置などの電気駆動による機能部が設けられていることを特徴とする、中吊り広告装置。）
請求項３では（前記機能部が電磁石揺動体であって、前記シート状体の表側に揺動体が揺動自在に設けられており、当該揺動体の側に永久磁石が取り付けられており、これに対して前記シート状体の側にコイルが取り付けられていると共に、このコイルにコイルを駆動するための駆動回路が接続されている、請求項１に記載の中吊り広告装置。）
請求項７では（前記機能部に対する電源供給部が光発電装置である、請求項１に記載の中吊り広告装置。）と記されている。
【発明の開示】
【発明が解決しようとする課題】
【００１０】  従来、一般的に絵画及び写真は静的なものである。また動く場合は、ビデオや映画等、複雑な機械を介在させることで成立させているものが大半である。鑑賞を目的とする絵画や写真に於いて、素朴な構造の揺動装置を使って動くものは存在しなかった。
また、その他の揺動装置を使って動くもののうちに於いても、対象が長時間自動的に室内の光量変化に合わせる事で明るい昼間や明るい照明点灯時のみ動きだす立体的形状をした玩具やＰＯＰ広告用の装置等はあるものの、単調に連続した振り子運動をしたりするものしかなく、本発明にあるような変化のある不思議な動きを備えた表示体の揺動方法及び表示体の揺動装置はなかった。
また従来の揺動装置に於いては、ＰＯＰ広告用に作られている為か目立つ効果のある大きな振れの角度を持ち、振り子の振れ角度を観賞用に使いたい任意の角度に少なめに設定することができないという欠点があった。
これらの点を踏まえ、本発明は本来静的なものである絵画や写真を含み、素朴な構造で安価に表示体に比較的ゆっくりとしたスピードで変化のある間欠的な不思議な動きを与え例えば表示体が腰関節を曲げて踊るような自然で複雑な動きをする表示体の揺動方法及び表示体の揺動装置を提供することを目的とする。
【課題を解決するための手段】
【００１１】請求項１記載の発明は、上記の目的を達成する為に以下の特徴を併せ持つことを特徴とした表示体の揺動方法であり比較的ゆっくりとしたスピードで変化のある不思議な動きを備えた表示体の揺動方法である。
１、駆動電源、永久磁石の付いた振り子、駆動コイル、弛張発信回路等によって構成された揺動装置を使い、揺動装置に付いた振り子と表示体によって一体化された振り子の重心位置をその振り子の支点近くに特定することで、表示体が止まっているかと思えば突然揺れ動きだし、間欠的に動と静を繰りかえす、または表示体の揺れ幅が止まりそうな小さな揺れ幅と少し大きな揺れ幅に間欠的に繰り返し変化する表示体の揺動方法。
２、駆動電源と、永久磁石の付いた振り子、駆動コイル、弛張発信回路等によって構成された揺動装置に於いてリンク機構または磁石の反発を介し複数の表示体を同時に連動し揺動させる表示体の揺動方法。【００１２】  上記１、の間欠的な動きを可能にする為に重りの位置、及び重さを調整できるようにすることは、重要である。また振り子の周期を調整する上でも重要である。
昔からある機械式メトロノームの構造を考えるとわかりやすいのでその概略とともに仕組みを記載する。ここで使われる振り子構造も機械式メトロノームと同様に一種の実体振り子（剛体振り子ともいわれる）であり、支点（回動する支持軸）の下部にある重り（固定錘）とメトロノームでは腕といわれる支点より上部の部分に位置する棒に移動できる重り（遊錘）が付いており、この重り（遊錘）を上下することでテンポの速さを調整する。重り（遊錘）を移動させると重心位置が移動するが、振り子全体が剛体である実体振り子では重心が振り子の下部から軸に近づくにつれ周期が長くなることを利用し、単振り子（ひもの先に錘を付ける振り子）に比べとても小さいサイズで長い周期のリズムを刻める。
よって、重心位置を振り子の下から、より支点に近づけて特定し固定することで、振り子の周期を遅くすることが可能になる。また原理的には重心位置が支点と一致したときには振り子は停止することになる。【００１３】  そこで本発明では表示体及び振り子の重心位置を特定するための間欠的揺動及び揺動周期の調整を目的とした重りを使用し、表示体と一体化された状態の振り子の重心位置の調整を可能にすること、若しくは表示体自身の側に重心位置を特定し固定することで、表示体の周期を遅くし揺れがやっと動く程度の重心位置にしておく。そして振り子が止まるか止まりかける直前つまり弛張発信回路による駆動コイルへの電力供給の減少、或いは極性の変化と、振り子の揺れが重力や摩擦力によって減少または自然停止したときに微妙なタイムラグをもって、弛張発信回路によって駆動コイルへの電力供給がされ或いは増やされ振り子に付いた永久磁石と駆動コイルの間に生じる反発力或いは吸着力によって再び動き出す、その繰り返しによって上記の間欠的な動きをつくる表示体の揺動方法である。【００１４】  上記の仕組みにて作られる表示体の揺動方法であるいうことは、間欠的な動きをつくる表示体の揺動方法で特定されるような状態が、確立は低いがおそらく意図しない形で従来あるＰＯＰ広告用の揺動装置に於いても表示体を取り付けたときに、バランスが崩れた不良の動きを持った状態として存在していたのではないかと思われる。
本発明の表示体の揺動方法は、その状態を改めて取り出し、意図した形で有効になるよう重心の位置を特定化し間欠的な動きを抽出するところに特徴がある。【００１５】  請求項２記載の発明は、以下の要件を備えることを特徴とする請求項１記載の表示体の揺動方法を持つ表示体の揺動装置である。
（イ）駆動電源、永久磁石の付いた振り子、駆動コイル、弛張発信回路等によって構成された揺動装置に於いてリンク機構または磁石の反発を介して連動することで複数の表示体を揺動させることができるようにした揺動装置を使用
（ロ）表示体
（ハ）重心位置を振り子の支点近くに特定するための重り【００１６】  上記（イ）の揺動装置としては、商品の案内などに使用されＰＯＰ広告用の表示体として一般に市販され容易に入手し得る揺動装置が使用可能であり、背景技術で記した（特許文献３）の表示体の揺動装置を元に開発された品物が、店舗ディスプレイに使われる揺動装置ユニットとして安価にて商品の案内などに使用されるＰＯＰ広告用の表示体として市販されており本発明で使用し得る揺動装置のひとつである。
上記（ハ）に記載の重りは、揺動周期の調整と間欠的揺動を目的とし、振り子と表示体によって一体化された振り子の重心位置をその振り子の支点近くに特定するための重りである。
また改めて重りという分離された形に現わされていなくても、重心位置を振り子の支点近くに特定し間欠的揺動を目的とし重りの目的を兼ねそなえて調整された表示体も含むことはもちろんである。
また振り子の下部と上部のバランスの中で下部の重さがわずかに大きく、且つ可動する状態の重心位置を特定することになる。
振り子の下部にある重りの変化によっても特定することは可能であるが、上部が軽い場合は、振り子の下部の重りを最小とし重心を支点近くにしたいところであり、それ以上減らせないときは上部に追加して調整用の重りが必要になる。【００１７】  請求項３記載の発明は、請求項２の要件に加え（ニ）の要件を備えることを特徴とする請求項２記載の表示体の揺動装置である。
（ニ）光、音、振動、熱等の自動的に反応するセンサー付スイッチ、或いは請求項２（イ）の揺動装置の駆動電源として太陽電池を備え、自動的に反応する光センサー付スイッチとして兼ねる。
センサー付スイッチを設けることでセンサーが作動したときのみ自動的に揺れ始めたり揺れ続けたりし、例えば手を叩くと揺れ始める等、より面白さを増したものを提供でき、駆動電源に太陽電池を使用した場合は表示体が明るい昼間や明るい照明点灯時のみ自動的に揺れ始め揺れ続けることで、二つの目的を一つのもので達成することができる。【００１８】  請求項４記載の発明は、請求項２及び請求項３記載の発明の要件に加え以下の要件を備えることを特徴とする請求項２及び請求項３記載の表示体の揺動装置である。
（ホ）背景画面
（ヘ）揺動角度設定用ストッパー
上記（ホ）の背景画面は表示体を表に、裏に揺動装置の機構部分を設けることにより、不思議に揺れ動く絵画や写真スタンドの形状を作成することができる。
上記（ヘ）揺動角度設定用ストッパーは表示体の揺れ幅を表現したい自然な動きに感じるように任意に設定することができる。【００１９】  請求項５記載の発明は請求項２の（ハ）重心位置を振り子の支点近くに特定するための重りとして、請求項２の（ロ）表示体が間欠的な動きとゆっくりとした周期を実現しやすくなるように重りを任意の位置に固定できるようにし、これらの数や重さの種類を変え、振り子の支点より上部の任意の位置に重りを取り付けるようにすること、若しくは表示体の一部に重りを取り付けるようにしその位置、重さを調整することで間欠的な動きとゆっくりとした周期を実現しやすくなるようにすることを特徴とする請求項２、請求項３及び請求項４記載の表示体の揺動装置である。【００２０】  調整用重り（メトロノームでの遊錘に相当する）に、例えば金属でできたネジ、ナット、ワッシャー、等を使用し、ワッシャーの数、種類を変え、振り子に設けられた長穴等に取り付けることで振り子の支持軸からの距離を任意に調整するか、若しくは表示体の一部に重りを取り付け調整することとする。また、市販されているＰＯＰ広告用揺動装置を使用するとき振り子の下部にある重り（メトロノームでの固定錘に相当する）も調整に使えることはもちろんである。
また上部と下部の重りを調整しあうことで、表示体の大きさ重さにあわせながら重心を特定するにあたり調整することが容易になる。【００２１】  請求項６の発明は、請求項４の（ヘ）揺動角度設定用ストッパーとして、ストッパーと振り子の一部が当たったときの音を吸収することを兼ね発砲ポリエチレンやゴム等クッション性と吸音性を有した素材を使用し弓状に曲がり且つ戻る形状とし弾性力を持たせ動きを和らげながら振り子の振れ角度を抑える効果を有する。
または振り子に付いた永久磁石の磁石極性に反応するよう別の磁石をバランスの取れる位置に固定することで振り子の揺動角度設定用ストッパーとし同時に揺動したときに派生する音を減少させ得ることを特徴とする請求項４及び請求項５記載の表示体の揺動装置である。【００２２】  或いは請求項４記載の（ヘ）揺動角度設定用ストッパーとして、電気的回路の変更、また別の永久磁石や極性のない鉄板を別の振り子として可動させることで表示体と一体化された振り子に変則的な動きを与へ、振り子の振れ角度を限定する等、請求項６の方法に限らず、他の方法であっても良いことはもちろんである。【００２３】  請求項４記載の発明の（ホ）背景画面を用い絵画や写真に不思議な揺れ方の例えば腰関節を曲げて踊るような自然な動きを表現する為に、手前に位置する対象とその下に位置する対象の重なり部分、或いは画面上で動かない背景部分を、１枚の写真または絵から作成する場合、その重なって見え隠れする下に位置する対象の重なり部分は本来存在しないはずであるが、写真修正を行って自然に見えるよう作成することも好ましい。【００２４】  請求項２の表示体を切り抜き若しくは打ち抜いた平面とし、いろいろなバリエーションを作れるようにすることで古典的絵画、身近な人の写真、ペット、動物等を動かしたりすることも好ましい。【００２５】  また、上記のような写真や絵画等で同じものを複数作る場合、画面の中の対象をバランスの取れた位置に取り付ける必要があるが、動く対象となる面の印刷物等が所定の位置や角度に取り付けられるように１点または２点以上の薄く遠めには判別しづらい程度の印を付けておき、プッシュピン等の針をその印をした点に貫通し、揺動装置の対象取り付け部に設けた穴をガイドとして所定の位置に取り付けることも好ましい。
【発明の効果】
【００２６】  本発明は上記構成からなるので以下に示す効果が期待できる。
Ａ．請求項１の発明では、以下の方法を併せ持つことで不思議な表示体の揺動方法を提      供することができる。
１、表示体が止まっているかと思えば突然揺れ動きだし、間欠的に動と静を繰りかえ        す、または間欠的に揺れ幅が変化する。
２、複数の表示体を連動し揺動させる。
Ｂ．請求項２の発明では、請求項１の発明の効果を具体化できる揺動装置を提供するこ      とができる。
Ｃ．請求項３の発明では、センサーを使用することで面白さを増すことができ、太陽電      池を使用する場合は明るい時のみ自動的に揺れ、二つの目的を兼ねることで安価に      作成可能であるとともに電池の入れ替えの手間もなくまた省エネ効果もある。
Ｄ．請求項４の発明のうち（ホ）背景画面を備えることで、不思議に揺れ動く絵画や写      真スタンドの形状を作成することができる。
（ヘ）揺動角度設定用ストッパーを備えることで、表示体の揺れ幅を自然な動きに      感じるように任意に設定することができる。
Ｅ．請求項５の発明では、重りの位置、及び重さを変えることで間欠的な動きとゆっく      りとした周期を実現できるように調整し易くすることができる。
Ｆ．請求項６の発明では、動きを和らげながら振り子の振れ角度を画面の中で揺動する      面が自然な動きに感じる程度に少なくすることができ、また振り子がふれたときに      発生する音を吸収することができる。
【発明を実施するための最良の形態】
【００２７】  以下に、本発明の実施の形態を、図面を参照して説明する。
【実施例】
【００２８】  図１図２図３にあげる本発明の実施例は、額装した背景画面１の中に７４の揺動対象Ａ、７５の揺動対象Ｃ、８４の揺動対象Ｂを配置し、７４の揺動対象Ａと７５の揺動対象Ｃは８４の揺動対象Ｂを挟むようにして、７２の揺動対象取り付け部Ａに固着し７３の揺動支点Ａ及び８３の揺動支点Ｂを中心とした揺れになるように配置したものであり、図１図２の太陽電池を駆動源とする市販のＰＯＰ広告用揺動装置を使用して明るい昼間や明るい照明点灯時のみ自動的に揺れ始め揺れ続け、ゆっくりと間欠的に止まっているかと思えば揺れ動き、また停止するという不思議な動きで腰を曲げて踊るような形に表現した装飾絵画である。
１４の重心位置調整用重り（メトロノームでの遊錘に相当）に金属でできたネジ、ナット、ワッシャー、等を使用し、ワッシャーの数、種類を変え、振り子に設けられた長穴に取り付け、３つの揺動対象と振り子、揺動対象取り付け部との全体としての振り子の重心位置を、上記の動きが特定できるように振り子の支持軸からの距離を含め調整したものである。
図２図３では１２の弾性力のある素材利用の揺動角度設定用ストッパーを使用し、揺動対象が腰を曲げて踊るような仕草が不自然に見えないようにしたものである。
また１３の磁石利用の揺動角度設定用ストッパーを使用しても同様の効果を得る事ができる。尚、本実施例では左右に揺動角度設定用ストッパーを配したが、片側だけでもある程度の効果を出すことができる。
【図面の簡単な説明】
【００２９】
【図１】本発明の実施例の縮小正面図で上と下の図に揺れ変化した状態を並べた図である
【図２】図１のロ−ロ線に沿う原寸断面図である
【図３】図２のイ−イ線に沿う図１の裏面方向から見た縮小断面図である
【図４】実施例に使用する市販のＰＯＰ広告用揺動装置の概略断面図である
【図５】図４のハ−ハ線に沿う概略断面図である
【符号の説明】
【００３０】
【００３１】    １  背景画面
２  揺動装置の筺体
３  太陽電池
４  永久磁石の付く振り子
５  永久磁石
６  市販品の永久磁石の付く振り子に最初から設けられている永久磁石に吸着する着脱可能な固定重り（メトロノームでの固定錘に相当）
７１  振り子用回動支持軸
７２  揺動対象取り付け部Ａ
７３  揺動支点Ａ
７４  揺動対象Ａ
７５  揺動対象Ｃ
８１  リンク棒用回動支持軸
８２  揺動対象取り付け部Ｂ
８３  揺動支点Ｂ
８４  揺動対象Ｂ
９  駆動コイル
１０  弛張発信回路
１１  リンク棒
１２  弾性力のある素材利用の揺動角度設定用ストッパー
１３  磁石利用の揺動角度設定用ストッパー
１４  重心位置調整用重り（メトロノームでの遊錘に相当）
【図１】
2010000770.tif 000003
【図２】
2010000770.tif 000004
【図３】
2010000770.tif 000005
【図４】
2010000770.tif 000006
【図５】
2010000770.tif 000007